(57)【要約】【課題】アナログケーブルとデジタルケーブルを平面的に重なるように配置する場合に、アナログケーブルに漏洩するノイズを抑制すること。【解決手段】アナログ出力部１１を有する第１の回路基板３と、アナログ入力部１２とデジタル出力部１４を有する第２の回路基板４と、第１、第２の回路基板３，４を互いに間隔をもって固定する金属製の取付基板２と、アナログ出力部１１とアナログ入力部１２を回路基板３，４の間隔領域５を通って接続するアナログケーブル１３と、デジタル出力部１４に接続され、アナログケーブル１３と平面的な重なりをもって配置されるデジタルケーブル１４とを備え、間隔領域５に、取付基板２の表裏を連絡する開口１６を設け、この開口１６から前記デジタルケーブル１５を取付基板２の裏側に導出した。【選択図】　　　　図１
2004111805.tif 000002
【特許請求の範囲】
【請求項１】
アナログ出力部を有する第１の回路基板と、アナログ入力部とデジタル出力部を有する第２の回路基板と、前記第１、第２の回路基板を互いに間隔をもって固定する金属製の取付基板と、前記アナログ出力部と前記アナログ入力部を前記回路基板の間隔領域を通って接続するアナログケーブルと、前記デジタル出力部に接続され、前記アナログケーブルと平面的な重なりをもって配置されるデジタルケーブルとを備え、前記取付基板の前記間隔領域に、前記取付基板の表裏を連絡する開口を設け、この開口から前記デジタルケーブルを前記取付基板の裏側に導出したことを特徴とするインターフェイス用回路ユニット。
【請求項２】
前記開口は、前記アナログケーブルとの平面的な重なりを避けた領域に形成したことを特徴とする請求項１記載のインターフェイス用回路ユニット。
【請求項３】
前記取付基板の前記開口に隣接して、前記デジタル用ケーブルを配置するトンネル状の通路部を形成したことを特徴とする請求項１、もしくは請求項２記載のインターフェイス用回路ユニット。
【請求項４】
前記第１の回路基板のアナログ出力部と前記第２の回路基板のアナログ入力部を前記トンネル状の通路部を挟んで対面するように前記第１、第２の回路基板を固定したことを特徴とする請求項３記載のインターフェイス用回路ユニット。
【発明の詳細な説明】
【０００１】
【発明の属する技術分野】
本発明は、アナログ信号をデジタル信号に変換して出力する回路を備えたインターフェイス用回路ユニットに係り、特に、デジタルケーブルから出力されるノイズがアナログケーブルに漏洩することを防止するインターフェイス用回路ユニットに関する。
【０００２】
【従来の技術】
アナログ信号をデジタル信号に変換して出力する回路を１つの回路基板上に備える場合、デジタル信号によるノイズがアナログ信号に漏洩することを防止するために、特許文献１に記載のようにアナログ回路部とデジタル回路部をシールド板を用いて分離することが行われている。
【０００３】
【特許文献１】
実開平５−９０９９７号公報
【０００４】
【発明が解決しようとする課題】
特許文献１のように回路基板に接続するケーブルがアナログのみである場合は、デジタル回路部をシールド板によって囲むことができるが、回路基板にデジタルケーブルを接続する場合は、このケーブルから発生するノイズが問題となる。特に、回路基板の構成上の問題によって、アナログケーブルとデジタルケーブルを平面的に重なるように配置しなければならない場合は、デジタルケーブルから発生するノイズがアナログケーブルに漏洩しやすいとう問題がある。
【０００５】
そこで本発明は、アナログケーブルとデジタルケーブルを平面的に重なるように配置する場合に、アナログケーブルに漏洩するノイズを抑制することができる構造を提供することを課題とする。
【０００６】
【課題を解決するための手段】
本発明は、請求項１に記載のように、アナログ出力部を有する第１の回路基板と、アナログ入力部とデジタル出力部を有する第２の回路基板と、前記第１、第２の回路基板を互いに間隔をもって固定する金属製の取付基板と、前記アナログ出力部と前記アナログ入力部を前記回路基板の間隔領域を通って接続するアナログケーブルと、前記デジタル出力部に接続され、前記アナログケーブルと平面的な重なりをもって配置されるデジタルケーブルとを備え、前記取付基板の前記間隔領域に、前記取付基板の表裏を連絡する開口を設け、この開口から前記デジタルケーブルを前記取付基板の裏側に導出したことを特徴とする。
【０００７】
本発明は、請求項２に記載のように、前記開口は、前記アナログケーブルとの平面的な重なりを避けた領域に形成したことを特徴とする。
【０００８】
本発明は、請求項３に記載のように、前記取付基板の前記開口に隣接して、前記デジタル用ケーブルを配置するトンネル状の通路部を形成したことを特徴とする。
【０００９】
本発明は、請求項４に記載のように、前記第１の回路基板のアナログ出力部と前記第２の回路基板のアナログ入力部を前記トンネル状の通路部を挟んで対面するように前記第１、第２の回路基板を固定したことを特徴とする。
【００１０】
【発明の実施の形態】
以下、本発明の実施形態について図面を参照して説明する。図１は、インターフェイス用回路ユニットの上面カバーを取り外した状態を示す斜視図、図２は、取付基板の斜視図である。
【００１１】
インターフェイス用回路ユニット１は、取付基板２の一方の面に第１の回路基板３と第２の回路基板４を、平面的な重なりがないように、互いに間隔領域５を隔てて固定している。ユニット１の下側部と右側部には、アナログ信号入出力、ビデオ信号入力、コンポジットビデオ出力、ＲＳ２３２Ｃ信号入出力などの各種の信号端子部６，７や電源端子８が配置されている。ユニット１は、その下側部に各種の信号端子部６や電源端子８が配置される下側板９を備え、この下側板９を取付基板２にネジ止め固定している。各種の信号端子部７を配置するユニット１の右側板は、取付基板２を折り曲げて形成されている。
【００１２】
第１、第２の回路基板３，４を覆うように、金属製のカバー１０（図３参照）が装着される。この金属製のカバー１０と取付基板２は、接地電位に接続されることによってシールド板としても機能する。
【００１３】
第１の回路基板３は、専らアナログ信号を扱う回路で、ユニット１の左右方向の一方の側を占有するように取付基板２に固定されている。第２の回路基板４は、アナログ信号をデジタル化するデジタル化処理を行ったり、画像のサイズを変更するスケーリング処理を行ったりするために、アナログ信号とデジタル信号の両方を扱う回路で、ユニット１の第１の回路基板３によって占有された領域以外の領域に位置して取付基板２に固定されている。
【００１４】
第１の回路基板３は、端子７を介して供給されるアナログ信号を出力するアナログ出力部としてのコネクタ１１を備えている。第２の回路基板４は、第１の回路基板３から供給されるアナログ信号が入力されるアナログ入力部としてのコネクタ１２を備えている。これらのコネクタ１１，１２は、間隔領域５の上を通るアナログケーブル１３によって互いに接続されるように、間隔領域５を挟んで対向配置している。
【００１５】
第２の回路基板４は、アナログ出力用のコネクタ１２が設けられた側縁部と同一の側縁部にデジタル出力部としてのコネクタ１４を配置している。このコネクタ１４には、デジタルケーブル１５の一端が接続される。デジタルケーブル１５は、デジタルインターフェイスに適したケーブルによって構成され、この例では、並列―直列変換されたデータ信号やクロック信号などを小振幅化して送付する複数のより対線を用いている。そして、デジタルケーブル１５は、その他端をデジタル機器、例えば、デジタル入力の液晶表示装置に接続するようにユニットの下側部から引き出される。
【００１６】
この時、デジタルケーブル１５がアナログケーブル１３の下を通過するので、デジタルケーブル１５とアナログケーブル１３は平面的な重なりをもって配置される。平面的な重なりをもって配置されたデジタルケーブル１５からアナログケーブル１３へのノイズ漏洩を防ぐため、両者の間にシールド用の部材を配置した。このシールド用の部材は、取付基板２の一部を利用した。取付基板２の間隔領域５に対応する位置に、取付基板２の表裏を連絡する開口１６を設けている。開口１６は、アナログケーブル１３との平面的な重なりを避けた領域に形成している。ここでは、デジタル出力用のコネクタ１４と隣接した位置に開口１６を形成している。
【００１７】
開口１６を介してデジタルケーブル１５をユニット１の裏側に引き出し、アナログケーブル１３とデジタルケーブル１５の交差位置に金属製の取付基板２を介在させるので、この取付基板２がシールド板として機能する。したがって、デジタルケーブル１５とアナログケーブル１３間のシールド板の機能を既存の部品を利用して果たすことができ、部品点数の削減を図ることができる。
【００１８】
取付基板２の間隔領域５に対応する位置には、前記開口１６に隣接して前記デジタル用ケーブル１５を配置するトンネル状の通路部１７を形成している。この通路部１７は、図２に示されるように、基板２の裏側から表側に向けて凸な形状で、通路部１７の長さは、アナログケーブル１３、並びに、そのコネクタ１１，１２の幅よりも十分に長くしている。通路部１７の高さは、開口１６からユニット１の裏側に引き出されたデジタルケーブル１５をユニット１の裏側にはみ出すことなく収納することができるような高さに設定している。通路部１７を間隔領域５に対応して配置しているので、通路部１７の高さは、基板３，４によって制約を受けることなく比較的自由に設定することができる。したがって、通路部１７の高さを、基板３，４よりも高く設定しているが、基板３，４よりも低く設定しても良い。
【００１９】
トンネル状の通路部１７は、デジタルケーブル１５とアナログケーブル１３間のシールド板の機能の他に、デジタルケーブ１５を収納する収納部としても機能するので、部品点数の削減をより一層図ることができる。
【００２０】
アナログケーブル１３は、このトンネル状の通路部１７の上を横切って配置される。したがって、コネクタ１１，１２もトンネル状の通路部１７を介在して対向する位置に固定される。
【００２１】
第２の回路基板４の上側部には、各種の設定を行うためのディップスイッチ１８や温度センサー１９等を配置している。設定用のディップスイッチ１８を基板４の入出力用端子６が配置された側とは反対側に配置しているので、入出力用端子６や、それに接続された各種のケーブルによって設定操作が邪魔されることを防止することができる。
【００２２】
このように構成されたユニット１は、図３に示すように、デジタル表示機器、この例ではデジタル入力を備える液晶表示装置２０の背面に装着されて使用される。
【００２３】
【発明の効果】
以上のように本発明によれば、アナログケーブルとデジタルケーブルを平面的に重なるように配置する場合、アナログケーブルに漏洩するノイズを抑制することができる。そして、その構造を既存部品を利用して実現することができ、構成の簡素化を図ることができる。
【図面の簡単な説明】
【図１】本発明の実施形態を示す斜視図である。
【図２】同実施形態の取付基板の斜視図である。
【図３】本発明のユニットが装着された装置の斜視図である。
【符号の説明】
１　インターフェイス用回路ユニット
２　取付基板
３　第１の回路基板
４　第２の回路基板
５　間隔領域
１１　コネクタ
１２　コネクタ
１３　アナログケーブル
１４　コネクタ
１５　デジタルケーブル
１６　開口
１７　通路部
【図１】
2004111805.tif 000003
【図２】
2004111805.tif 000004
【図３】
2004111805.tif 000005